(57)【要約】【課題】  ＥＰＧコンテンツの提供において、使用に便利なさらに向上されたインターフェースを提供するために、チャネル及び／又は複数のチャネルに対するＥＰＧコンテンツをタグクラウド形態に表示する装置及び方法を提供する。【解決手段】  本発明は、複数のプログラムに対するＥＰＧコンテンツのディスプレイ方法及び装置において、前記方法は、複数のプログラムに対するＥＰＧコンテンツを受信する段階と；受信されたＥＰＧコンテンツと連関されるタグをタグクラウドに表示する段階とを含む。【選択図】      図２
2010288265.tif 000002
【特許請求の範囲】
【請求項１】
複数のプログラムに対するＥＰＧコンテンツのディスプレイ方法において、
複数のプログラムに対するＥＰＧコンテンツを受信する段階と；
受信されたＥＰＧコンテンツを処理して、前記ＥＰＧコンテンツと連関されるタグを判断する段階と；
前記タグをタグクラウドに表示する段階と；
を含むことを特徴とするＥＰＧコンテンツのディスプレイ方法。
【請求項２】
前記タグは、前記受信されたＥＰＧコンテンツから得られることを特徴とする請求項１に記載のＥＰＧコンテンツのディスプレイ方法。
【請求項３】
前記タグを複数のカテゴリーに分類する段階をさらに含むことを特徴とする請求項１に記載のＥＰＧコンテンツのディスプレイ方法。
【請求項４】
前記複数のカテゴリーは、過去、現在及び未来のプログラムを区分することができるように定義されることを特徴とする請求項３に記載のＥＰＧコンテンツのディスプレイ方法。
【請求項５】
前記複数のカテゴリーは、過去の視聴頻度と関連されたプログラム情報を区分することができるように定義されることを特徴とする請求項３に記載のＥＰＧコンテンツのディスプレイ方法。
【請求項６】
前記複数のカテゴリーは、ユーザーの入力に従って定義されることを特徴とする請求項３に記載のＥＰＧコンテンツのディスプレイ方法。
【請求項７】
前記複数のカテゴリーは、互いに異なるプログラムジャンルを区分することができるように定義されることを特徴とする請求項３に記載のＥＰＧコンテンツのディスプレイ方法。
【請求項８】
前記互いに異なるプログラムジャンルは、前記受信されたＥＰＧコンテンツから抽出されることを特徴とする請求項７に記載のＥＰＧコンテンツのディスプレイ方法。
【請求項９】
異なるカテゴリーに対するタグと視覚的に区分されることができるようにそれぞれのカテゴリーに対するタグを表示する段階をさらに含むことを特徴とする請求項３に記載のＥＰＧコンテンツのディスプレイ方法。
【請求項１０】
前記それぞれのカテゴリーに対するタグを表示する段階は、フォント大きさ、フォント様式、フォント色相、フォント明るさ、透明度、背景色相、境界、動きさ、下線、イタリック体、線を引いて消す表示（strikethroughs）、深さの３次元的な表現、陰影及び位置の中で少なくとも一つを含む視覚的な特性の固有な結合に従って前記それぞれのカテゴリーに対するタグを表示することを特徴とする請求項９に記載のＥＰＧコンテンツのディスプレイ方法。
【請求項１１】
複数のプログラムに対するＥＰＧコンテンツのディスプレイ装置において、
複数のプログラムに対するＥＰＧコンテンツを受信する受信部と；
受信されたＥＰＧコンテンツを分析して、前記受信されたＥＰＧコンテンツと連関されるタグを判断するＥＰＧ処理部と；
を含むことを特徴とするＥＰＧコンテンツのディスプレイ装置。
【請求項１２】
前記ＥＰＧ処理部は、前記タグを複数のカテゴリーに分類した後、それぞれのカテゴリーに対して前記タグと情報を出力することを特徴とする請求項１１に記載のＥＰＧコンテンツのディスプレイ装置。
【請求項１３】
前記ＥＰＧ処理部は、過去、現在及び未来のプログラムを区分することができるように前記複数のカテゴリーを定義することを特徴とする請求項１２に記載のＥＰＧコンテンツのディスプレイ装置。
【請求項１４】
前記ＥＰＧ処理部は、過去の視聴頻度と関連されたプログラム情報を区分することができるように前記複数のカテゴリーを定義することを特徴とする請求項１２に記載のＥＰＧコンテンツのディスプレイ装置。
【請求項１５】
前記ＥＰＧ処理部は、ユーザーの入力に従って前記複数のカテゴリーを定義することを特徴とする請求項１２に記載のＥＰＧコンテンツのディスプレイ装置。
【請求項１６】
前記ＥＰＧ処理部は、互いに異なるプログラムジャンルを区分することができるように前記複数のカテゴリーを定義することを特徴とする請求項１２に記載のＥＰＧコンテンツのディスプレイ装置。
【請求項１７】
前記ＥＰＧ処理部は、前記受信されたＥＰＧコンテンツから互いに異なるプログラムジャンルを抽出することを特徴とする請求項１６に記載のＥＰＧコンテンツのディスプレイ装置。
【請求項１８】
前記ＥＰＧ処理部から出力されるそれぞれのカテゴリーに対する前記タグと情報を表示するディスプレイ部をさらに含むことを特徴とする請求項１２に記載のＥＰＧコンテンツのディスプレイ装置。
【請求項１９】
前記ディスプレイ部は、それぞれのカテゴリーに対するタグが異なるカテゴリに対するタグと視覚的に区分されることができるように前記タグを表示することを特徴とする請求項１８に記載のＥＰＧコンテンツのディスプレイ装置。
【請求項２０】
前記ディスプレイ部は、フォント大きさ、フォント様式、フォント色相、フォント明るさ、透明度、背景色相、境界、動きさ、下線、イタリック体、線を引いて消す表示（strikethroughs）、深さの３次元的な表現、陰影及び位置の中で少なくとも一つを含む視覚的な特性の固有な結合に従って前記それぞれのカテゴリーに対するタグを表示することを特徴とする請求項１９に記載のＥＰＧコンテンツのディスプレイ装置。
【発明の詳細な説明】
【技術分野】
【０００１】
本発明は、コンテンツを表示する装置及び方法に係り、さらに詳しくは、ＥＰＧコンテンツを表示する装置及び方法に関する。
【背景技術】
【０００２】
エレクトロニックプログラムガイド（Electronic  Program  Guide：ＥＰＧ）、インタラクティブプログラムガイド（Interactive  Program  Guide：IPG）及びエレクトロニックサービスガイド（Electronic  Service  Guide：ESG）は、テレビ放送又はラジオプログラム編成に対するガイドとして、典型的に画面に表示されて、視聴者がリモートコントローラー、キーボード、又は電話キーパッドのようなその他の入力デバイスを利用して時間、題目、チャネル及びジャンル等によるコンテンツを探索、選択及び発見することができるようにする。
【０００３】
一般的に、ディスプレイ装置に表示されるＥＰＧコンテンツは、コンテンツ提供者によって提供される現在及び未来のプログラムに関する情報のグリッド又はリストを提供する。図１は、放送ストリームに含まれるＥＰＧコンテンツの一実施形態を示す。しかし、グリッド又はリスト形態に表示されるＥＰＧコンテンツは探索するのが煩わしく、視聴者に便利ではない点がある。従って、ＥＰＧコンテンツを提供するのにあたって、使用しやすくより向上されたインターフェースが要求される。
【発明の概要】
【発明が解決しようとする課題】
【０００４】
従って、本発明の目的は、ＥＰＧコンテンツを提供するのにあって、使用に便利でさらに向上されたインターフェースを提供するために、チャネル及び／又は複数のチャネルに対するＥＰＧコンテンツをタグクラウド形態に表示する装置及び方法を提供することである。
【課題を解決するための手段】
【０００５】
本発明の一側面によると、チャネル及び／又は複数のチャネルに対するＥＰＧコンテンツをタグクラウド形態に表示する装置及び方法が提供される。
【０００６】
本発明の一実施形態によると、複数のプログラムに対するＥＰＧコンテンツを表示する方法が提供され、前記方法は、複数のプログラムに対する前記ＥＰＧコンテンツを受信する段階と；前記ＥＰＧコンテンツと連関されたタグを決定するために受信されたＥＰＧコンテンツを処理する段階と；前記タグをタグクラウドに表示する段階と；を含む。
【０００７】
前記方法は、前記タグを決定するために前記受信されたＥＰＧコンテンツを分析する段階をさらに含むことができる。
【０００８】
前記方法は、前記タグを複数のカテゴリーに分類する段階をさらに含むことができる。前記方法において、前記複数のカテゴリーは、過去、現在及び未来のプログラムを区分することができるように定義されることができる。前記方法において、前記複数のカテゴリーは、プログラム情報の中で過去の視聴頻度を区分することができるように定義されることができる。前記方法において、前記複数のカテゴリーは、ユーザーの入力に従って定義されることができる。前記方法において、前記複数のカテゴリーは、互いに異なるプログラムジャンルを区分することができるように定義されることができる。
【０００９】
前記方法において、前記互いに異なるプログラムジャンルは、前記受信されたＥＰＧコンテンツから抽出されることができる。
【００１０】
前記方法は、それぞれのカテゴリーに対するタグが、他のカテゴリーに対するタグと視覚的に区分されるように前記それぞれのカテゴリーに対するタグを表示する段階をさらに含むことができる。
【００１１】
前記方法において、前記それぞれのカテゴリーに対するタグを表示する段階は、フォント大きさ、フォント様式、フォント色相、フォント明るさ、透明度、背景色相、境界、動きさ、下線、イタリック体、線を引いて消す表示（strikethroughs）、深さの３次元的な表現、陰影及び位置の中で少なくとも一つを含む視覚的な特性の固有な結合に従って前記それぞれのカテゴリーに対するタグが表示されるように行われることができる。
【００１２】
本発明の他の実施形態によると、複数のプログラムに対するＥＰＧコンテンツを表示する装置が提供され、前記装置は複数のプログラムに対するＥＰＧコンテンツを受信する受信部と；受信されたＥＰＧコンテンツを分析して前記受信されたＥＰＧコンテンツと連関されるタグを決定するＥＰＧ処理部と；を含む。
【００１３】
前記装置において、前記ＥＰＧ処理部は、前記タグを複数のカテゴリーに分類し、それぞれのカテゴリーに関する情報とタグを出力することができる。前記装置において、前記ＥＰＧ処理部は、過去、現在及び未来のプログラムを区分することができるように複数のカテゴリーを定義することができる。前記装置において、前記ＥＰＧ処理部は、プログラム情報の中で過去の視聴頻度を区分することができるように複数のカテゴリーを定義することができる。前記装置において、前記ＥＰＧ処理部は、ユーザーの入力に従って複数のカテゴリーを定義することができる。前記装置において、前記ＥＰＧ処理部は、互いに異なるプログラムジャンルを区分することができるように複数のカテゴリーを定義することができる。前記装置において、前記ＥＰＧ処理部は、受信されたＥＰＧコンテンツから互いに異なるプログラムジャンルを抽出することができる。
【００１４】
前記装置は、前記ＥＰＧ処理部から出力されるそれぞれのカテゴリーに関する情報とタグを表示することができるディスプレイをさらに含むことができる。
【００１５】
前記装置において、前記ディスプレイは、異なるカテゴリーに対するタグと視覚的に区分されることができるそれぞれのカテゴリーに対するタグを表示することができる。前記装置において、前記ディスプレイは、フォント大きさ、フォント様式、フォント色相、フォント明るさ、透明度、背景色相、境界、動きさ、下線、イタリック体、線を引いて消す表示（strikethroughs）、深さの３次元的な表現、陰影の中で少なくとも一つを含む視覚的な特性の固有な結合に従って表示されるそれぞれのカテゴリーに対するタグを表示することができる。
【００１６】
また、前述した実施形態及び本発明の他の側面は、ソフトウェア的な具現に限定されず、多様なハードウェア装置及びシステムを通じて具現されることもできる。
【発明の効果】
【００１７】
本発明によると、ＥＰＧコンテンツを提供するのにあって、使用に便利でさらに向上されたインターフェースを提供することができる。
【００１８】
本発明の実施形態によると、前述した短所及び未言及した他の短所を克服することができる。また、本発明は前述した短所の克服にだけ限定されない。
【図面の簡単な説明】
【００１９】
【図１Ａ】放送ストリームに含まれるＥＰＧコンテンツの一例を示す図である。
【図１Ｂ】放送ストリームに含まれるＥＰＧコンテンツの一例を示す図である。
【図２】本発明の一実施形態によるディスプレイ画面を示す図である。
【図３】本発明の一実施形態による視覚的に区分されることができるタグを示す図である。
【図４】本発明の一実施形態によるフローチャートである。
【図５Ａ】本発明の一実施形態による装置を示す図である。
【図５Ｂ】本発明の一実施形態による装置を示す図である。
【図６】本発明の一実施形態によるＥＰＧ処理部を示す図である。
【図７】本発明の一実施形態による分類されたタグを示す図である。
【図８】本発明の一実施形態によるジャンル別に分類されたタグを示す図である。
【図９】本発明の一実施形態によるジャンル別に分類されたタグを示す図である。
【図１０Ａ】本発明の一実施形態に従ってジャンル別に分類されたタグを表示することを示す図である。
【図１０Ｂ】本発明の一実施形態に従ってタグクラウドを表示することを示す図である。
【図１０Ｃ】本発明の一実施形態に従ってタグクラウドを表示することを示す図である。
【発明を実施するための形態】
【００２０】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００２１】
“プログラム情報”と言う用語は、一般的にＥＰＧコンテンツから獲得される情報を言う。このようなプログラム情報は、放送ストリームに存在するＥＰＧコンテンツに含まれ、又は、放送ストリームに存在するＥＰＧコンテンツから得られることができる。本発明で、“プログラム情報”と言う用語は、ＥＰＧコンテンツに含まれる情報とＥＰＧコンテンツから得る情報を全部表わす。
【００２２】
図１Ａは、放送ストリームに含まれるプログラム情報の一実施形態を示す図である。
【００２３】
前記実施形態で、放送ストリームに含まれるプログラム情報は、様々な形態のスポーツプログラム（例えば、野球、アメリカフットボール、サッカー等）に関することである。また、前記プログラム情報には、様々な形態のスポーツプログラムだけでなく、さらに詳しい情報も含まれることができる。
【００２４】
例えば、図１Ｂに示すように、特定の野球ゲーム（例えば、NYY  v.  NYM、BAL  v.  WAS及びSEA  v.  LAD）とそれぞれの放映日及び時間がプログラム情報に含まれることができる。勿論、プログラム情報は、スポーツプログラムに限定されない。本発明の例示的な実施形態は、他の形態のプログラムとプログラム情報に同一に適用されることができる。
【００２５】
本発明で使用される“タグ”と言う用語は、プログラム情報と関連される単語又は識別者を指称する。一般的に、タグは、放送ストリームに存在するＥＰＧコンテンツに含まれるいずれの情報でも含むことができる。例えば、タグは、題目、簡単な説明、日、時間、チャネル番号、詳細な説明、視聴率指標（rating  indicators）、再放送情報などのような情報を含むことができる。または、タグはＥＰＧコンテンツから得られることができる。さらに、タグは、単一のチャネル、複数のチャネル及びこれのそれぞれの結合と関連されることであることができる。
【００２６】
前述のように、タグは、放送ストリームに存在するＥＰＧコンテンツから得られたり、又は抽出されることができる。例えば、図１Ａに示すように、プログラム情報は、視聴者が見ることができる様々な形態のスポーツプログラム（例えば、野球(BASEBALL)、アメリカフットボール(FOOTBALL)、サッカー(SOCCER)、柔道(JUDO)、レーシング(RACING)等）に対する互いに異なるタグを決定するために分析(parsing)されることができる。タグが決定されれば、前記タグは、視聴者が表示されるタグを区分することができるようにタグを視覚的に描写又は整列したタグクラウドに配置されることができる。タグクラウド内に互いに異なるタグを異なるように表示することによって、ユーザーは、タグによって表示されるコンテンツに関する付加情報を判断することができる。
【００２７】
例えば、ユーザーは、あるプログラムが現在放送されているか、どんなプログラムが未来に放送される予定なのかに対して速やかに判断するのを願うことができる。このため、スポーツプログラムは、二つのカテゴリー、即ち、現在プログラム及び未来プログラムに分類されることができる。このような分類を使用して、現在にディスプレイされているスポーツプログラムは特定の値を有し、未来のプログラムは他の値を有することができる。また、前記“値”に関する情報は、放送ストリームに存在するＥＰＧコンテンツに含まれたり、又はＥＰＧコンテンツから得られることができる。前記のような情報を使用することによって、多数のタグが相互間に視覚的に区分されることができるようにタグクラウドに表示されることができる。
【００２８】
前記のようなディスプレイの一例が図２に示されている。図２に示すように、あるタグは大文字（例えば、現在プログラム）に表示され、他のタグは小文字（例えば、未来プログラム）に表示される。従って、図２に示すタグクラウドを見る視聴者は、あるプログラムが現在に提供されているか（例えば、野球(BASEBALL)、サッカー(SOCCER)、ホッケー(HOCKEY)、柔道(JUDO)等）、どんなプログラムが未来に提供される予定なのか（例えば、ゴルフ(golf)、フットボール(football)、チェス(chess)、レーシング(racing)等）に対して速やかに判断することができる。
【００２９】
タグクラウドは、典型的に雲のような形態の配列に表示される。しかし、本発明は典型的な表示形態に限られることではない。前記典型的な表示形態代わりに、タグは２次元及び３次元の幾何学的な形状を含む色々な異なる形態に表示することができる。
【００３０】
前述のように、プログラム情報は、スポーツ又はどんな一般的なカテゴリーに限られることではない。また、タグの分類は、単純に現在及び未来のプログラムに限られることでもない。例えば、メモリーに貯蔵された過去プログラムのための付加的なカテゴリーが定義されることができる。また、視聴者は、他の視聴者（このような情報は、例えば、放送ストリームを通じて得られることができると仮定する）、又は自身による視聴頻度、又はプログラムの人気度に基づいてタグを分類することができる。
【００３１】
しかし、視聴者は、前述したカテゴリーの例に限られることではない。実際に、視聴者は、自身の個人的な視聴選好度に合うカスタム（custom）カテゴリーを定義するために、放送ストリームで得ることができるプログラム情報（又は貯蔵されたプログラム情報から得ることができる）を使用することができる。従って、タグに対するカテゴリーは、所定のカテゴリーに基づいて定義されたり、又は視聴者の個人的な選好度に基づいて定義されることができる。
【００３２】
前述のように、図２の例では、二つの互いに異なるカテゴリーに対するタグが異なるように表示される。現在プログラムに対するタグは、全部大文字を使用して表示され（例えば、野球(BASEBALL)）、未来プログラムに対するタグは、全部小文字を使用して表示される（例えば、レーシング(racing)）。図２では、二つの例に対して示したが、視聴者が分類されたカテゴリーに対するタグを視覚的に区分することができるように、前記タグは色々な異なる方式に表示されることができる。
【００３３】
例えば、図３は、タグが互いに視覚的に区分されることができる方法に対する三つの付加的な例を示す。具体的に、それぞれのカテゴリーに対するタグの表示は、フォント大きさ、フォント様式、フォント色相、フォント明るさ、透明度、背景色相、境界、動きさ、下線、イタリック体、線を引いて消す表示（strikethroughs）、ちらつき、深さの３次元的な表現、陰影及び位置のようなことを含む固有な視覚的な特性に従って前記それぞれのカテゴリーに対するタグが表示される方式で行われることができる。
【００３４】
また、前記のような特性の互いに異なる結合は、カテゴリーを固有に表現することに使用されることができる。さらに、本発明の一実施形態は、前述した例に限られず、また適用される場合に表示されるタグが他のカテゴリーと互いに視覚的に区分されることができるようにする異なる属性を含むことができる。
【００３５】
図４は、本発明の一実施形態によるフローチャートを示す図である。
【００３６】
ＥＰＧコンテンツが受信される４００。その後、受信されたＥＰＧコンテンツは、タグを決定するために分析される４１０。前記タグは、それぞれのカテゴリーに分類され４２０、それぞれのカテゴリーに分類されたタグに基づいてタグクラウドが表示される４３０。
【００３７】
本発明の一実施形態によると、図４のフローチャートにユーザーの動作（図示せず）が含まれることもできる。例えば、図４の過程は、タグクラウドを表示する命令語をユーザーが入力したか否かを判断する動作（図示せず）を含むことができる。また、図４の過程は、カスタムタグクラウドを構成する命令語をユーザーが入力したか否かを判断する動作（図示せず）を含むこともできる。
【００３８】
図５Ａは、本発明の一実施形態による装置５００を示す図である。
【００３９】
前記図面に示すように、前記装置は、放送ストリームからＥＰＧコンテンツを受信する受信部５１０、受信されたＥＰＧコンテンツに基づいてタグを決定するＥＰＧ処理部５２０及び前記ＥＰＧ処理部５２０によって出力されるタグを利用してタグクラウドを表示する映像処理部５４５を含むことができる。図５Ａに受信部５１０と映像処理部５４５が全部前記装置５００内に存在することを図示したが、本発明はこのような実施形態に限定されない。例えば、受信部及び／又はディスプレイ部が前記ＥＰＧ処理部５２０の外部に位置することができる。
【００４０】
図５Ｂは、本発明の一実施形態による装置の詳細図を示す。図５Ｂに示すように、前記装置は入力される信号を音声成分と映像成分に逆多重化（demux）させるデマルチプレクサー５４１を有するＡ／Ｖ処理部５４０を含むことができる。前記デマルチプレクサー５４１によって出力される音声信号は、音声デコーダー５４２と音声処理部５４３を経て最終的にスピーカー部５５０に送られる。前記デマルチプレクサー５４１によって出力される映像信号は映像デコーダー５４４によってデコーディングされ、その後、映像処理部５４５によって処理される。また、デマルチプレクサー５４１は、映像信号をＥＰＧ処理部５２０に出力することができる。ＥＰＧ処理部５２０は、メモリー部５６０に連結されて、前記メモリー部５６０に貯蔵されたＥＰＧコンテンツ及び／又はタグに接近することができる。ＥＰＧコンテンツを処理してタグとＥＰＧコンテンツを決定した後、ＥＰＧ処理部５２０はタグ及び／又はＥＰＧコンテンツと処理された映像信号が混合されて映像処理部５４５にディスプレイされる映像にオーバーレイされることができるように、タグ及び／又はＥＰＧコンテンツをユーザーのインターフェース生成部５７０に出力する。また、ＥＰＧ処理部５２０は命令語受信部５８０に連結されて、リモコン５９０を通じてユーザーと通信する命令語受信部５８０から命令語を受信することができる。選択的に、ＥＰＧ処理部５２０は、ネットワーク部５９１を通じてユーザーに命令語を送ったり、又はユーザーから命令語を受信することができる。
【００４１】
図５Ｂは、受信部５１０が放送ストリームを受信することに対して示したが、ネットワーク部５９１がインターネット（図示せず）に連結されて放送ストリームを受信し、受信した放送ストリームをＡ／Ｖ処理部に出力することもできる。選択的に、放送ストリームを受信するために他のネットワーク（図示せず）が使用されることができる。
【００４２】
また、図５Ｂに示す実施形態で制御部がＥＰＧ処理部５２０の外部に位置するメモリー部５６０に貯蔵されたＥＰＧコンテンツ及び／又はタグに接近することとは異なるように、ＥＰＧ処理部にＥＰＧコンテンツ及び／又はタグを貯蔵する内部メモリーが位置することができる。図６は、このような構成の一例を示したことで、ＥＰＧ処理部６２０は、中央処理部６２１と内部メモリー６２２を含むことができる。図６に示すように、ＥＰＧコンテンツがＥＰＧ処理部６２０に入力される。中央処理部６２１は、特定のＥＰＧコンテンツ及び／又はタグを内部メモリー６２２に貯蔵することができる。中央処理部６２１は、内部メモリー６２２内に貯蔵されたＥＰＧコンテンツ及び／又はタグに接近してこれを処理し、処理されたＥＰＧコンテンツ及び／又はタグを出力することができる。
【００４３】
前述したように、ＥＰＧコンテンツは様々な異なる方式で処理さら分類されることができる。例えば、図７に示すテーブルは、野球ゲームプログラムの分類を示す。図７で、タグには三つの個別的なゲーム(GAME)が列挙される。即ち、“NYY  v.  NYM”、“BAL  v.  WAS”及び“SEA  v.  LAD”と、それぞれの日(DATE)及び時間(TIME)が含まれる。最後の列は、各ゲームの加重値又はカテゴリー(CATEGORY)ナンバーを示す。即ち、“NYY  v.  NYM”は第１カテゴリーであり、“BAL  v.  WAS”は第２カテゴリーであり、“SEA  v.  LAD”は第３カテゴリーである。例えば、それぞれのカテゴリーは、過去、現在及び未来のプログラムを区分したり、選好チームの優先順番を区分したり、又は高画質（high  definition：HD）チャネルと高画質ではないチャネルなどを区分することができる。いずれの場合でも、特定分類規則は関係ない。本発明の実施形態で、タグは前記事項を区分することができるように一定方式に分類されることで十分である。さらに、図７に示す例は、ゲーム名前、日及び時間だけを含んでいるが、前記ＥＰＧコンテンツはチャネル番号、プログラムの詳細な説明、視聴率指標（rating  indicators）、再放送情報などのような他の関連項目を含むことができる。
【００４４】
また、図７の例はそれぞれのタグが個別的なカテゴリーを有することが見せられ、タグとカテゴリー間の１：１関係は必要としない。その代わりに、タグのグループは、特定のカテゴリー番号を割り当てることができる。例えば、視聴者は、自身が選好するチームをNYM及びWASに指定することができる。この場合、NYYとNYMとのゲーム及びBALとWASとのゲームは、第１カテゴリーに指定することができる。一方、SEAとLADとのゲームは、第２カテゴリー（図示せず）に指定されることができる。しかし、これは一例に過ぎなく、色々な異なる分類が可能である。
【００４５】
また、タグ分類は、ＥＰＧコンテンツの特定方式に限定されない。その代わりに、カテゴリーの階層が生成されて互いに連結されることができる。例えば、前述したように、図７は野球ゲームと連関されたタグの分類を図示する。また、図８はプログラムの大分類を示す。図８で互いに異なるジャンル（例えば、“スポーツ(SPORTS)”、“ニュース(NEWS)”、“映画(MOVIES)”）に対応するタグは異なるカテゴリーに定義される。それぞれのジャンルは、これと論理的に適切なタグを含むことができるように定義されることができる。従って、スポーツカテゴリーは、例えば、図７の分類された下位リストのような野球(Baseball)及び他のことを含むいろいろなスポーツプログラムの範囲を含むことができる。即ち、図８に示すタグの大分類は図７の低いレベルのタグにリンクされることができる。例えば、図７の“NYY  v.  NYM”と“BAL  v.  WAS”及び“SEA  v.  LAD”などのタグは、図８のスポーツ／野球タグにリンクされることができる。
【００４６】
一方、視聴者は、タグクラウドを通じて付加的な詳部項目を見ることを願うことができる。例えば、視聴者は、自身の選好ジャンルを指定して選択し、表示されたタグクラウド上で選択された選好ジャンルが区分されることを願うことができる。スポーツ、ニュース及び映画等三つのジャンルが与えられた状況で、視聴者はスポーツとニュースを全部選好ジャンルに指定することができる（しかし、映画は選好ジャンルに指定されてはいない）。スポーツとニュースを選好ジャンルに見せられるために、選好状態と非選好状態を指定するのに、加重値が使用されることができる。
【００４７】
図９はこのような加重値の図表を示す。ここで、選好ジャンルと非選好ジャンルを区分するために、最上位数字（most  significant  digit：MSD）値は、“１”又は“０”である。本実施形態で、スポーツ(SPORTS)とニュース(NEWS)は、タグクラウド上で通常的にディスプレイされる文字（例えば、ちらつくタグ）（図示せず）に見せられることができる。一方、映画(MOVIES)タグは、他の方式でディスプレイされる文字（例えば、ちらつかない方式）（図示せず）を有することができる。この場合、タグクラウドに付加項目を表示するために、追加的な加重値が使用されることができる。一般的に、加重値図表の複雑性は表示されるタグクラウドの願う複雑性に依存する。
【００４８】
図１０Ａは、本発明の一実施形態に従って、ジャンルによって分類されたタグを表示することを示した図である。図１０Ａに示すように、互いに異なるジャンルに対するタグが表示される。視聴者は、表示されたジャンルの中でいずれか一つを選択することができる。視聴者が特定ジャンルを選択すれば、選択されたジャンルに対する付加項目が表示されることができる。例えば、視聴者がスポーツ(SPORTS)ジャンルを選択すれば、図２に示されたタグクラウドのような付加項目が見せられることである。
【００４９】
選択的に、ジャンルタグは、タグクラウドに見せられることができる。例えば、図１０Ｂは図１０Ａに列挙されたジャンルのタグクラウドを示す。例えば、このようなタグクラウドは、図９に係って前述したようなタグの詳細分類の数値加重（numerical  weighting）を利用して生成することができる。即ち、視聴者は、表示されたジャンルの中でいずれの一つを選択することができるし、いずれの一つが選択されれば、選択されたジャンルに対する付加項目が表示されることができる。例えば、もし視聴者がスポーツ(SPORTS)ジャンルを選択すれば、図２のタグクラウドのような付加項目が見せられることができる。
【００５０】
図１０Ｃは、図１０Ａに列挙されたジャンルのまた異なるディスプレイを示す。図１０Ｃに示すように、各ジャンルの下位カテゴリーがタグクラウドに表示されることができる。例えば、スポーツジャンルにおいて、図８に示すスポーツプログラムのそれぞれの下位カテゴリーがタグクラウドに表示されることができる。このように、異なるジャンルそれぞれの下位カテゴリーがタグクラウドに表示されることができる。
【００５１】
また、タグクラウドの表示は、現在受信されたＥＰＧコンテンツに限定されない。その代わりに、ＥＰＧコンテンツは、メモリー（図示せず）に貯蔵されることができるし、貯蔵されたＥＰＧコンテンツに対してＥＰＧコンテンツの処理とタグの表示を行うことができる。例えば、以前に貯蔵されたりメモリーに貯蔵されたプログラムに係って貯蔵されるプログラム情報は、メモリーから読み込んで分類された後に前述のようなタグクラウド又はクラウドに表示されることができる。従って、視聴者は、メモリーに貯蔵されたすべての貯蔵プログラムを表示することができるタグを生成することができる。
【００５２】
また、前記で論議された例は、単一カテゴリー（例えば、過去／現在／未来又は選好／非選好）を表示するタグクラウドを含む一方、本発明の一実施形態は、単一カテゴリーを表示することに限られない。その代わりに、タグに対して視覚的な特性の多数の結合を使用することによって（例えば、フォント大きさ、フォント様式、フォント色相、フォント明るさ、透明度、背景色相、境界、動きさ、下線、イタリック体、線を引いて消す表示（strikethroughs）、ちらつき、深さの３次元的な表現、陰影及び位置）、多数のカテゴリー（例えば、過去／現在／未来及び選好／非選好）を含むタグクラウド（図示せず）を表示することもできる。
【００５３】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００５４】
５１０  受信部
５２０  ＥＰＧ処理部
５３０  ディスプレイ部
５４０  Ａ／Ｖ処理部
５４１  デマルチプレクサー
５４２  音声デコーダー
５４３  音声処理部
５４４  映像デコーダー
５４５  映像処理部
５５０  スピーカー部
【図１Ａ】
2010288265.tif 000003
【図１Ｂ】
2010288265.tif 000004
【図２】
2010288265.tif 000005
【図３】
2010288265.tif 000006
【図４】
2010288265.tif 000007
【図５Ａ】
2010288265.tif 000008
【図５Ｂ】
2010288265.tif 000009
【図６】
2010288265.tif 000010
【図７】
2010288265.tif 000011
【図８】
2010288265.tif 000012
【図９】
2010288265.tif 000013
【図１０Ａ】
2010288265.tif 000014
【図１０Ｂ】
2010288265.tif 000015
【図１０Ｃ】
2010288265.tif 000016